【手続補正書】
【提出日】平成27年6月17日(2015.6.17)
【手続補正１】
【補正対象書類名】明細書
【補正対象項目名】００１１
【補正方法】変更
【補正の内容】
【００１１】
【図１】本開示の第１の実施の形態に係る表示装置の構成を表す断面図である。
【図２】図１に示した表示装置における表示モード切替層の構成（開口パターン）の一例を表す平面図である。
【図３】図２に示した表示モード切替層の構成を表す断面図である。
【図４Ａ】図２に示した表示モード切替層の製造方法の一例を説明するための断面図である。
【図４Ｂ】図４Ａに続く工程を表す断面図である。
【図４Ｃ】図４Ｂに続く工程を表す断面図である。
【図５Ａ】図４Ｃに続く工程を表す断面図である。
【図５Ｂ】図５Ａに続く工程を表す断面図である。
【図５Ｃ】図５Ｂに続く工程を表す断面図である。
【図６Ａ】図２に示した表示モード切替層の表示モードを説明する断面図である。
【図６Ｂ】図２に示した表示モード切替層の表示モードを説明する断面図である。
【図７】図１に示した表示装置の全体構成を表す平面図である。
【図８】図７に示した画素駆動回路の一例を表す図である。
【図９】表示モード切替層に印加する印加電圧の一波形例を表す図である。
【図１０】本開示の実験例１，２における反射率と電圧との関係を表す特性図である。
【図１１】本開示の表示モード切替層の開口パターンの他の例を表す平面図である。
【図１２】本開示の第２の実施の形態に係る表示装置の断面図である。
【図１３】図２に示した表示装置における表示モード切替層の構成を表す断面図である。
【図１４】本開示の実験例３における透過率と電圧との関係を表す特性図である。
【図１５】本開示の第３の実施の形態に係る表示装置の断面図である。
【図１６】図１５に示した表示モード切替層の構成を表す断面図である。
【図１７Ａ】図１６に示した表示モード切替層の製造方法の一例を説明するための断面図である。
【図１７Ｂ】図１７Ａに続く工程を表す断面図である。
【図１７Ｃ】図１７Ｂに続く工程を表す断面図である。
【図１８Ａ】図１７Ｃに続く工程を表す断面図である。
【図１８Ｂ】図１８Ａに続く工程を表す断面図である。
【図１８Ｃ】図１８Ｂに続く工程を表す断面図である。
【図１９】本開示の変形例１に係る表示装置の構成を表す断面図である。
【図２０】本開示の変形例２に係る表示装置の構成を表す断面図である。
【図２１】図２１に示した表示装置の全体構成を表す平面図である。
【図２２】本開示の第４の実施の形態に係る表示装置の構成を表す断面図である。
【図２３Ａ】図２２に示した表示装置における表示モード切替層の表示モードを説明するための断面図である。
【図２３Ｂ】図２２に示した表示装置における表示モード切替層の表示モードを説明するダための断面図である。
【図２４】本開示の変形例３に係る表示モード切替層の構成を表す断面図である。
【図２５】表示モードの部分的切り替えが可能な表示装置の全体構成を表す平面図である。
【図２６】本開示の変形例４に係る表示モード切替層の構成を表す平面図である。
【図２７Ａ】図２６に示した第１電極の配設の一例を表す模式図である。
【図２７Ｂ】図２６に示した第２電極の配設の一例を表す模式図である。
【図２８Ａ】上記実施の形態等の表示装置の適用例１の表側の外観を表す斜視図である。
【図２８Ｂ】上記実施の形態等の表示装置の適用例１の裏側の外観を表す斜視図である。
【図２９】適用例２の外観を表す斜視図である。
【図３０Ａ】適用例３の表側から見た外観を表す斜視図である。
【図３０Ｂ】適用例３の裏側から見た外観を表す斜視図である。
【図３１】適用例４の外観を表す斜視図である。
【図３２】適用例５の外観を表す斜視図である。
【図３３Ａ】適用例６の閉じた状態の正面図、左側面図、右側面図、上面図および下面図である。
【図３３Ｂ】適用例６の開いた状態の正面図および側面図である。
【図３４】適用例７の外観を表す模式図である。
【図３５Ａ】適用例８の透明ディスプレイモード時の外観を表す模式図である。
【図３５Ｂ】適用例８のディスプレイモード時の外観を表す模式図である。
【手続補正２】
【補正対象書類名】明細書
【補正対象項目名】００２９
【補正方法】変更
【補正の内容】
【００２９】
図６Ａおよび図６Ｂは、表示モード切替層３０の変化を模式的に表したものである。ＥＣ層３２（３２Ａ，３２Ｂ，３２Ｃ）は、それぞれ、ＮｉＯ（イオン保持層２１Ａ），Ｔａ2Ｏ3（イオン伝導層３２Ｂ）およびＷＯ3（発色層３２Ｃ）によって構成されているも
のとする。このような構成の表示モード切替層３０では、発色層３２Ｃ中のＷＯ3は、例
えば第１電極３３にプラス（＋）電圧を、第２電極３１にマイナス（−）電圧を印加した状態では図６Ａに示したように無色（ＷＯ3）の状態で存在する。このため、表示装置１
Ａとしては、第１電極３３を構成する金属膜（例えばＡｌ）が視認できる状態、即ちミラーモードとなる。これに対して、各電極への印加電圧を逆、即ち第１電極３３にマイナス（−）電圧を、第２電極３１にプラス（＋）電圧を印加すると、イオン保持層３２Ａに含まれるイオン（Ｈ+）がイオン伝導層３２Ｂを介して発色層３２Ｃに供給され、発色層３
２Ｃ中のＷＯ3が還元されてＨxＷＯ3となる。これにより、図６Ｂに示したように発色層
３２Ｃは黒色（ＨxＷＯ3）となる。黒色に変化した表示モード切替層３０は、所謂ブラックマトリックス（ＢＭ）として機能するため、表示装置１Ａは通常の表示装置として機能するディスプレイモードとなる。即ち、表示領域１１０Ａへの対象物の映り込みのない画像表示が可能となる。
【手続補正３】
【補正対象書類名】明細書
【補正対象項目名】００３４
【補正方法】削除
【補正の内容】
【手続補正４】
【補正対象書類名】明細書
【補正対象項目名】００６８
【補正方法】変更
【補正の内容】
【００６８】
次に、図１８Ａに示したように、イオン貯蔵層６７から対向基板４０にかけて、例えばスパッタ法により、例えばＩＴＯ膜６３Ａを５０ｎｍ以上２００ｎｍ以下の厚みに成膜したのち、このＩＴＯ膜６３Ａ上にブラックマトリックス用のレジストＲを塗布する。続いて、図１８Ｂに示したように、レジストＲを露光および現像を行い所定の形状にパターニングする。最後に、図１８Ｃに示したように、ＩＴＯ膜６３Ａを、例えばＣＦ4等のガ
スを用いたドライエッチングを行い第１電極６３を形成することにより、表示モード切替層６０が完成する。なお、レジストＲは第１電極６３上にそのまま残すことにより遮光膜６４として用いることができる。この遮光膜６４は、上記実施の形態と同様に発光層２３Ｃから射出される光の反射を抑えると共に、第２電極６１が透明な状態、即ち表示装置１Ｃがディスプレイモードのときに黒色を表現するものである。なお、表２は本実施の形態における表示装置１Ｃの表示モード切替層６０および発光素子２０Ｒ，２０Ｇ，２０Ｂをそれぞれオン状態およびオフ状態とした際の表示モードをまとめたものである。
【手続補正５】
【補正対象書類名】明細書
【補正対象項目名】００８７
【補正方法】変更
【補正の内容】
【００８７】
対向電極８６は、例えば各画素２（２Ｒ，２Ｇ，２Ｂ）に共通の電極となっており、画素電極８１と共に液晶層８４へ映像電圧を供給するものである。この対向電極８６は、上記画素電極８１と同様、例えば上述したような透明導電材料によって構成されている。
【手続補正６】
【補正対象書類名】明細書
【補正対象項目名】００９３
【補正方法】変更
【補正の内容】
【００９３】
＜５．第４の実施の形態＞
図２２は、本開示の第４の実施の形態に係る表示装置１Ｆの断面構成を表したものである。この表示装置１Ｆは、上記変形例２と同様に表示層８０は液晶層８４を含む液晶素子によって構成されている。本実施の形態では、表示層８０上にはカラーフィルタ層８７（８７Ｒ，８７Ｇ，８７Ｂ）が設けられており、このカラーフィルタ層８７を介して表示層８０と対向基板４０との間に表示モード切替層９０が配設されている。
【手続補正７】
【補正対象書類名】明細書
【補正対象項目名】００９５
【補正方法】変更
【補正の内容】
【００９５】
図２３Ａおよび図２３Ｂは、表示モード切替層９０の電圧印加前（図２３Ａ）および電圧印加後（図２３Ｂ）の変化を模式的に表したものである。ＥＣ層９２は電気泳動層であり、例えばＡｇおよびＣｕを電離させたゲル状溶液（例えば、ジメチルスルホキシドにポリビニルブチラールを溶解したもの）を第１電極９３と第２電極９１との間に充填することにより形成される。このような構成の表示モード切替層９０では、例えば第２電極９１に負の電圧（例えば１．５〜４Ｖ程度）を印加することによって、図２３Ｂに示したように第２電極９１側に、例えばＡｇイオンがＡｇとして析出して金属膜９２Ａが形成される。これにより、表示モードがミラーモードに切り替わる。これに対して、第２電極９１側に正の電圧（例えば０．５〜１Ｖ程度）を印加することによって金属膜９２Ａを形成していたＡｇがイオン化して表示モードが切り替わる。このとき、第１電極９３をＩＴＯ等の光透過性を有する導電材料を用いて形成している場合には透明ディスプレイモードとなる。また、上記カラーフィルタ層８７の各カラーフィルタ８７Ｒ，８７Ｇ，８７Ｂの間にそれぞれブラックマトリックス層を設けた場合には、通常のディスプレイモードとなる。
【手続補正８】
【補正対象書類名】明細書
【補正対象項目名】００９７
【補正方法】変更
【補正の内容】
【００９７】
＜６．変形例＞
（変形例３）
図２４は、本開示の第４の実施の形態に係る表示装置１Ｆを構成する表示モード切替層９０の断面構成の他の例を表したもの（表示モード切替層９０Ａ）である。この表示モード切替層９０Ａは第２電極９１を各画素２を構成する副画素２Ｒ，２Ｇ，２Ｂごとに分割、即ち格子状マトリックスにパターン形成した点が上記第４の実施の形態とは異なる。このように第２電極９１を副画素２Ｒ，２Ｇ，２Ｂごとに形成することにより、表示装置１Ｆの表示領域２１０Ａを各副画素２Ｒ，２Ｇ，２Ｂごとに表示モードの切り替えが可能となる。
【手続補正９】
【補正対象書類名】明細書
【補正対象項目名】００９９
【補正方法】変更
【補正の内容】
【００９９】
図２５は、表示装置１Ａ〜１Ｅの各駆動回路１２０，１３０および各画素２Ｒ，２Ｇ，２Ｂが設けられた駆動基板１０および表示モード切替層３０（，５０，６０，７０）の全体構成を模式的に表したものである。表示モード切替層３０（，５０，６０，７０）は、列方向および行方向にそれぞれ複数の制御線１５０Ａおよび制御線１６０Ａが配設されている。制御線１５０Ａと制御線１６０Ａとは赤色画素２Ｒ，緑色画素２Ｇ，青色画素２Ｂのいずれか１つ、あるいは表示領域１１０Ａ内の所定の位置において交差している。各制御線１５０Ａおよび制御線１６０Ａはそれぞれ切替制御回路１５０，１６０に接続されている。切替制御回路１５０，１６０には、駆動基板１０上の信号線駆動回路１２０および走査線駆動回路１３０に供給される画像信号と共に、タイミング制御部１６４から表示モード切替層切替層３０（，５０，６０，７０）の表示モードの切り替えを制御する制御信号が供給されるようになっている。これにより、例えば図２５に示したように、表示モード切替層３０（，５０，６０，７０）の所定の領域をミラーモードとディスプレイモード（あるいは、ディスプレイモードと透明ディスプレイモード、ミラーモードと透明ディスプレイモード）とに分割表示することができる。
【手続補正１０】
【補正対象書類名】明細書
【補正対象項目名】０１０９
【補正方法】変更
【補正の内容】
【０１０９】
（適用例６）
図３３Ａ，３３Ｂは、携帯電話機の外観構成を表している。図３３Ａは、それぞれ携帯電話機を閉じた状態の正面、左側面、右側面、上面および下面を示している。図３３Ｂは、それぞれ携帯電話機を開いた状態の正面および側面を示している。この携帯電話機は、例えば、上側筐体８１０と下側筐体８２０とが連結部（ヒンジ部）８２０により連結されたものであり、ディスプレイ８４０（表示装置１Ａ〜１Ｈ）と、サブディスプレイ８５０と、ピクチャーライト８６０と、カメラ８７０とを備えている。